(57)【特許請求の範囲】
【請求項１】
宅配物を収納する複数のロッカの各ドアに電気錠が設けられ、各電気錠の施解錠を、配線コードを介して接続された一つの制御ユニットによって電気的に制御する宅配物収納ロッカユニットにおいて、
前記複数のロッカのうちの一つのロッカのドアに前記制御ユニットの操作パネル用の切り欠き部が形成され、前記切り欠き部に前記操作パネルが嵌まるように前記制御ユニットが前記一つのロッカ内に着脱自在に取り付けられていることを特徴とする宅配物収納ロッカユニット。
【請求項２】
前記制御ユニットは、横幅および奥行きの少なくとも一方のサイズが前記一つのロッカのものよりも小さくなるように形成されていることを特徴とする請求項１記載の宅配物収納ロッカユニット。
【発明の詳細な説明】
【０００１】
【発明の属する技術分野】
本発明は住宅等に設置され、配達された宅配物を収納するための宅配物収納ロッカユニットに関し、特にロッカの施解錠を制御ユニットによって電気的に制御する宅配物収納ロッカユニットに関する。
【０００２】
【従来の技術】
従来、集合住宅等に設置され、宅配物を収納するための複数のロッカを備えた宅配物収納ロッカユニットとしては、各ロッカのドアの開閉を制御ユニットによって電気的に制御するものがある。
【０００３】
図５は従来の宅配物収納ロッカユニットの外観を示す図である。宅配物収納ロッカユニット１００は、主にロッカユニット１１０および制御ユニット１２０から構成されている。ロッカユニット１１０は、一体に形成された複数のロッカ１１１から構成されている。また、ロッカユニット１１０と制御ユニット１２０も、一体に形成されている。
【０００４】
制御ユニット１２０の操作パネル１２０ａには、主にカード挿入口１２１、キー１２２、表示パネル１２３、受領書発行口１２４が設けられている。制御ユニット１２０の内部には、操作パネル１２０ａや、各ロッカ１１１のドアの開閉制御を行う制御装置が内蔵されている。
【０００５】
このような構成の宅配物収納ロッカユニット１００では、配達人は、表示パネル１２３の表示等に応じてキー１２２を操作することにより、複数のロッカ１１１のうち希望するロッカを選択し、そのロッカのドアを開く指令を行う。これに応じて、図示されていない制御装置が、対応するロッカのドアを解錠する。配達人が、そのロッカに宅配物を収納してドアを閉じると、受領書発行口１２４からは受領書が発行される。
【０００６】
一方、住人が宅配物を受け取る場合には、カード挿入口１２１に個人のカードを挿入する。すると、その住人宛の宅配物が収納されたロッカのドアが自動的に解錠され、中から宅配物を取り出すことができる。
【０００７】
【発明が解決しようとする課題】
しかし、このような宅配物収納ロッカユニット１００では、制御ユニット１２０がロッカユニットの一部として一体に設けられているので、制御ユニット１２０のみが故障した場合でも、宅配物収納ロッカユニット１００全体を取り替えなければならない場合が生じ、その場合には、作業性が悪く、コスト高となっていた。
【０００８】
また、新築の集合住宅に宅配物収納ロッカユニットを設置する場合には、通常、建築の段階で宅配物収納ロッカユニットを組み込む必要があるが、従来の宅配物収納ロッカユニット１００では、制御ユニット１２０もロッカユニット１１０と同時に組み込まなくてはならないため、工事中に埃が内部に侵入したり、操作パネル１２０ａに傷が付いたりする心配があった。
【０００９】
本発明はこのような点に鑑みてなされたものであり、ロッカとは独立して制御ユニットの設置や取り替えを行うことのできる宅配物収納ロッカユニットを提供することを目的とする。
【００１０】
【課題を解決するための手段】
本発明では上記課題を解決するために、宅配物を収納する複数のロッカの各ドアに電気錠が設けられ、各電気錠の施解錠を、配線コードを介して接続された一つの制御ユニットによって電気的に制御する宅配物収納ロッカユニットにおいて、前記複数のロッカのうちの一つのロッカのドアに前記制御ユニットの操作パネル用の切り欠き部が形成され、前記切り欠き部に前記操作パネルが嵌まるように前記制御ユニットが前記一つのロッカ内に着脱自在に取り付けられていることを特徴とする宅配物収納ロッカユニットが提供される。
【００１１】
このような宅配物収納ロッカユニットでは、宅配物収納ロッカユニットの本体側にはドアに切り欠き部を形成するだけでよく、任意のロッカに簡単な作業で制御ユニットを取り付けることができる。
【００１２】
また、制御ユニットに故障が起きた場合には、制御ユニットのみを取り替えればよいので、作業効率がよく、コスト高にもならない。
【００１３】
【発明の実施の形態】
以下、本発明の一形態を図面に基づいて説明する。
図２は本形態の宅配物収納ロッカユニットの外観を示す図である。宅配物収納ロッカユニット１は、３つのロッカユニット２，３，４が連結されることにより構成されている。ロッカユニット２には、制御ユニット５０と縦長の１個のロッカ２１とが設けられている。ロッカユニット３には、大きさの異なる４個のロッカ３１，３２，３３，３４が設けられている。ロッカユニット４には、縦長の１個のロッカ４１が設けられている。
【００１４】
各ロッカ２１，３１，３２，３３，３４，４１には、各ドア２１１，３１１，３２１，３３１，３４１，４１１を施錠するための、図示されていない電気錠が取り付けられている。これらの電気錠は、配線コード５，６等を介して制御ユニット５０と電気的に接続されている。一方、制御ユニット５０の表側部分には、操作パネル５０ａが設けられている。この操作パネル５０ａの操作により、各ロッカ２１，３１，３２，３３，３４，４１の電気錠のオン、オフ状態が制御される。
【００１５】
また、ロッカユニット２およびロッカユニット４の各天板２ａ，４ａには、それぞれ開口孔２ｂ，４ｂが形成されている。通常、各天板２ａ，４ａには、それぞれ蓋２ｃ，４ｃが取り付けられている。そして、必要に応じて蓋２ｃ，４ｃを取り外すことにより、スキー板等のロッカの縦方向の長さよりも長い物の収納が可能となっている。
【００１６】
図１は宅配物収納ロッカユニット１の各ドアを開いた状態を示す図である。図に示すように、ロッカユニット２のロッカ２１のドア２１１には、制御ユニット５０の操作パネル５０ａと同じ形状の切り欠き部２１１ａが形成されている。制御ユニット５０は、図３に示すように、ネジ６１，６２によってロッカ２１内に取り付けられている。なお、この取り付け手段としては、ネジ６１，６２に限定されることなく、取り付け目的を達成するのであれば他の手段でもよい。
【００１７】
また、図１に示すように、制御ユニット５０は、その横幅および奥行きがロッカ２１のそれよりも十分に小さく形成されているので、制御ユニット５０によってロッカ２１内の上部空間が完全に遮られることがない。したがって、ロッカ２１内の空間を有効に使用することができる。
【００１８】
図４は制御ユニット５０の具体的な構成を示す斜視図である。ただし、ここでは、ケース５０ｂのカバーを取り外した状態を示している。制御ユニット５０のケース５０ｂ内部には、制御基板５１、電源ユニット５２、およびプリンタ５３が設けられている。制御基板５１上には、ロジック回路等が組み込まれており、これにより宅配物収納ロッカユニット１全体が制御される。
【００１９】
電源ユニット５２は、制御基板５１やプリンタ５３等、宅配物収納ロッカ１全体の電気部品に電源供給を行うユニットである。プリンタ５３は、受領書を印刷する装置であり、印刷した受領書を操作パネル５０ａに設けられた受領書発行口５３ａから出力する。
【００２０】
一方、操作パネル５０ａには、液晶表示装置５４、キーボード５５、スピーカ５６、およびカードリーダ５７が取り付けられている。これらは、制御基板５１と電気的に接続されている。液晶表示装置５４は、その表示パネル５４ａが表側に位置するように設けられている。この液晶表示装置５４の表示パネル５４ａは、宅配物を収納したり取り出したりするときの操作案内を表示する。スピーカ５６は、操作案内を音声出力する。
【００２１】
キーボード５５は、そのキー操作部５５ａが表側に位置するように設けられている。キー操作部５５ａでは、操作開始指令や暗証番号等の入力が行われる。カードリーダ５７は、住人の専用の磁気カードが読み取り部５７ａに挿入された場合に、そのデータを読み取る装置である。
【００２２】
制御基板５１は、これらの装置からの入力信号等に基づいて、各ロッカ２１，３１，３２，３３，３４，４１の施解錠、および受領書並びに配達証明書の発行を行う。
【００２３】
このような構成の制御ユニット５０は、図３に示すように、ロッカ２１のドア２１１に切り欠き部２１１ａを形成しておき、ロッカ２１内にネジ６１，６２で取り付けるだけで、簡単に設置が行える。したがって、宅配物収納ロッカユニット１の本体側はドア２１１に切り欠き部２１１ａを形成するだけでよく、ロッカ２１以外の任意のロッカにも、簡単な作業で制御ユニット５０を取り付けることができる。
【００２４】
また、例えば新築の集合住宅等に宅配物収納ロッカユニット１を設置する場合には、制御ユニット５０以外の部分を先に設置しておき、実際に使用される直前に、ドア２１１に切り欠き部２１１ａを形成し、制御ユニット５０を取り付ければよい。これにより、工事中に制御ユニット５０が埃を被ったり傷ついたりすることが防止される。
【００２５】
さらに、制御ユニット５０に故障が起きた場合には、制御ユニットのみを取り替えればよいので、作業効率がよく、コスト高にもならない。
【００２６】
【発明の効果】
以上説明したように本発明では、ロッカのドアに制御ユニットの操作パネル用の切り欠き部を形成し、切り欠き部に操作パネルが嵌まるように制御ユニットをロッカ内に着脱自在に取り付けるようにしたので、任意のロッカに簡単な作業で制御ユニットを取り付けることができる。
【００２７】
また、制御ユニットに故障が起きた場合には、制御ユニットのみを取り替えればよいので、作業効率がよく、コスト高にもならない。
【図面の簡単な説明】
【図１】宅配物収納ロッカユニットの各ドアを開いた状態を示す図である。
【図２】本形態の宅配物収納ロッカユニットの外観を示す図である。
【図３】制御ユニットの取り付け構造を示す分解斜視図である。
【図４】制御ユニットの具体的な構成を示す斜視図である。
【図５】従来の宅配物収納ロッカユニットの外観を示す図である。
【符号の説明】
１  宅配物収納ロッカユニット
２，３，４  ロッカユニット
２１，３１，３２，３３，３４，４１  ロッカ
２１１ａ  切り欠き部
５０  制御ユニット
５０ａ  操作パネル
５０ｂ  ケース
５１  制御基板
【図１】
0003660039.tif 000002
【図２】
0003660039.tif 000003
【図３】
0003660039.tif 000004
【図４】
0003660039.tif 000005
【図５】
0003660039.tif 000006